(57)【要約】【課題】本発明は帽子等のツバの下部分に収納が可能な収納型レンズで、直接レンズやレンズの縁に手を触れることなくレンズの出し入れが可能な収納型レンズを供給することを目的とする。【解決手段】ツバの下部分に設置する支持部とレンズの間に揺動可能なアームを設け、アームとレンズが同時に移動できるようにした。アームを操作することにより直接レンズに手を触れずにレンズの出し入れが可能となる。【選択図】図１
2019095730.tif 000002
【特許請求の範囲】
【請求項１】
止め具が設けられた支持部に第１のアームが揺動可能に設けられ、該支持部のうち該第１のアームの後方に第２のアームが揺動可能に接続され、該第１のアームと該第２のアームの先にレンズ取り付け部が揺動可能に接続され、前記レンズ取り付け部は、該レンズ取り付け部と該第１のアームとの接続点が下方、該レンズ取り付け部と該第２のアームとの接続点が上方になる使用位置と、該レンズ取り付け部と該第１のアームとの接続点が前方、該レンズ取り付け部と該第２のアームとの接続点が後方になる収納位置との間で回転可能に構成され、前記収納位置を保持するストッパーを設けられたことを特徴とする収納型レンズ。
【請求項２】
支持部上の第１のアームの接続点よりも後方に第３のアームが揺動可能に接続され、該第３のアームが該第１のアームの中間部に揺動可能に接続される構成、または該支持部上の第２のアームの接続部よりも後方に該第３のアームが揺動可能に接続され、該第３のアームが該第２のアームの中間部に揺動可能に接続される構成で、該第３のアームもしくは該第１のアームと該第２のアームが該支持部上でスライド可能であることを特徴とする請求項１記載の収納型レンズ。
【請求項３】
支持部上の第１のアームの接続点よりも後方に第３のアームが揺動可能に接続され、該第３のアームが該第１のアームの中間部に揺動可能に接続される構成で、該第１のアームもしくは該第２のアームと該第３のアームが該支持部上でスライド可能であることを特徴とする請求項１記載の収納型レンズ。
【請求項４】
止め具を設けた支持部の前方に第１のアーム、該支持部の後方に第３のアームが揺動可能に接続され、該第３のアームの先に該第１のアームの中間部、該第１のアームの先にレンズ取り付け部に揺動可能に接続され、第２のアームが該レンズ取り付け部と該第３のアームの中間部に揺動可能に接続され、前記レンズ取り付け部は、該レンズ取り付け部と該第１のアームとの接続点が下方、該レンズ取り付け部と該第２のアームとの接続点が上方になる使用位置と、該レンズ取り付け部と該第１のアームとの接続点が前方、該レンズ取り付け部と該第２のアームとの接続点が後方になる収納位置との間で揺動可能に構成され、記収納位置を保持するストッパーを設けられた収納型レンズで、該第１のアームもしくは該第３のアームが該支持部上でスライド可能であることを特徴とする収納型レンズ。
【請求項５】
レンズ取り付け部に一対のレンズが揺動可能に接続される接続部が設けられ、前記一対のレンズが互いに開くように付勢する弾性体を前記接続部に設けられたことを特徴とする請求項１から請求項４のいずれか一項に記載の収納型レンズ。
【請求項６】
レンズの表面外側に突起を設けられたことを特徴とする請求項１から請求項５のいずれか一項に記載の収納型レンズ。
【発明の詳細な説明】
【技術分野】
【０００１】  本発明は帽子のツバの下部分に装着可能で且つ収納可能なレンズに関するものである。
【背景技術】
【０００２】  従来の技術として例えば、帽子のツバに係止するためのサングラスアセンブリー（例えば、特許文献１）がある。この発明は帽子のツバの下に収納できる旋回可能なサングラスである。
【先行技術文献】
【特許文献】
【０００３】
【特許文献１】特表平９−５１２９２５
【発明の概要】
【発明が解決しようとする課題】
【０００４】  従来の技術ではレンズを旋回移動させる際に、レンズまたはレンズのフレームに直接手を触れなければならず、場合によっては手がレンズに触れてしまい、レンズを汚してしまう恐れがある。特に急いでレンズの出し入れを行おうとすると、場合によってはレンズフレーム部分を触れようとしても手が直接レンズに触れてしまう恐れがある。【０００５】  本発明は帽子のツバの下部分に収納が可能な収納型レンズで、レンズやレンズのフレームに直接手を触れることなくレンズの出し入れができる収納型レンズを供給することを目的とする。
【課題を解決するための手段】
【０００６】  上記目的を達成するために、本発明に係る収納型レンズは、止め具が設けられた支持部に第１のアームが揺動可能に設けられ、支持部のうち第１のアームの後方に第２のアームが揺動可能に接続され、第１のアームと第２のアームの先にレンズ取り付け部が揺動可能に接続され、レンズ取り付け部は、レンズ取り付け部と第１のアームとの接続点が下方、レンズ取り付け部と第２のアームとの接続点が上方になる使用位置と、レンズ取り付け部と第１のアームとの接続点が前方、レンズ取り付け部と第２のアームとの接続点が後方になる収納位置との間で回転可能に構成されており、収納位置を保持するストッパーが設けられている。【０００７】  例えば、支持部上の第１のアームの接続点よりも後方に第３のアームが揺動可能に接続され、第３のアームが第１のアームの中間部に揺動可能に接続される構成、または支持部上の第２のアームの接続部よりも後方に第３のアームが揺動可能に接続され、第３のアームが第２のアームの中間部に揺動可能に接続される構成で、第３のアームもしくは第１のアームと第２のアームが支持部上でスライド可能に構成しても良い。【０００８】  例えば、支持部上の第１のアームの接続点よりも後方に第３のアームが揺動可能に接続され、第３のアームが第１のアームの中間部に揺動可能に接続され、第１のアームもしくは第２のアームと第３のアームが支持部上でスライド可能に構成しても良い。【０００９】  一例として、止め具を設けた支持部の前方に第１のアーム、支持部の後方に第３のアームが揺動可能に接続され、第３のアームの先に第１のアームの中間部、第１のアームの先にレンズ取り付け部に揺動可能に接続され、第２のアームがレンズ取り付け部と第３のアームの中間部に揺動可能に接続され、前記レンズ取り付け部は、レンズ取り付け部と第１のアームとの接続点が下方、レンズ取り付け部と第２のアームとの接続点が上方になる使用位置と、レンズ取り付け部と第１のアームとの接続点が前方、レンズ取り付け部と第２のアームとの接続点が後方になる収納位置との間で揺動可能に構成され、記収納位置を保持するストッパーが設けられ、第１のアームもしくは第３のアームが支持部上でスライド可能であるように構成しても良い。【００１０】  例えば、レンズ取り付け部に一対のレンズが揺動可能に接続される接続部が設けられ、一対のレンズが互いに開くように付勢する弾性体を前記接続部に設けられているように構成しても良い。【００１１】  また、レンズの表面外側に突起を設けられているように構成しても良い。
【発明の効果】
【００１２】  本発明の収納型レンズにより、レンズに直接手を触れることなく容易にレンズの出し入れが可能となる。
【図面の簡単な説明】
【００１３】
【図１】  図１は収納型レンズの使用時の側面図である。
【図２】  図２は収納型レンズの使用時の正面図である。
【図３】  図３は収納型レンズのレンズ移動時の側面説明図である。
【図４】  図４は収納型レンズのレンズ収納時の側面図である。
【図５】  図５は支持部本体を切断したストッパー機構の斜視分解説明図である。
【図６】  図６は第３のアームをスライドさせる収納型レンズの使用時の側面図である。
【図７】  図７は第１と第２のアームをスライドさせる収納型レンズの使用時の側面図である。
【図８】  図８は支持部本体内のストッパー機構を示す収納型レンズの使用時の上面切断説明図である。
【図９】  図９は支持部本体内のストッパー機構を示す収納型レンズの収納時の上面切断説明図である。
【図１０】  図１０は第１のアームをスライドさせる収納型レンズの使用時の側面図である。
【図１１】  図１１は第１のアームをスライドさせる収納型レンズの収納時の側面説明図である。
【図１２】  図１２は第３のアームをスライドさせる収納型レンズの収納時と使用時の側面図である。
【図１３】  図１３は第１のアームをスライドさせる収納型レンズの収納時と使用時の側面図である。
【図１４】  図１４はレンズ収納時の背面説明図である。
【図１５】  図１５はレンズ取り付け部部分の使用時の拡大透過下面図である。
【図１６】  図１６は収納型レンズを前後逆にして使用したときの側面図である。
【発明を実施するための形態】
【００１４】  以下、本発明の実施の形態を添付の図により説明する。
なお、本実施形態の説明において示す「前方」、「後方」、「上」、「下」、「左」、「右」などの方向を示す語は収納型レンズを使用者から見たときの方向とする。収納型レンズの使用者の顔面から遠い方が前方、使用者の顔面に近い方が後方であり、また上下左右も使用者から見た方向として説明する。これらの方向を示す語は説明のための便宜上のものであり、実際に使用するときの方向はこれに限定されるものではない。
【００１５】  本発明の収納型レンズの使用時を示す側面図を図１に示す。図１ではＡＢＳ樹脂で作られた支持部本体５に止め具４が設けられており、止め具４により収納型レンズが帽子のツバ１１に取り付けられる。
【００１６】  支持部本体５上の前方には第１のアーム１が、後方には第２のアーム２がそれぞれ揺動可能に取り付けられている。レンズの使用時には第１のアーム１および第２のアーム２は支持部本体５より斜め下後方に傾斜している。第１のアーム１と第２のアーム２の先にはレンズ取り付け部６がそれぞれ揺動可能に取り付けられている。図２はレンズ８使用時の正面図である。レンズ取り付け部６の左右にはレンズ８がネジ１０で取り付けられている。
【００１７】  本実施形態では第１のアーム１および第２のアーム２を支持部本体５上の左右２箇所にそれぞれ揺動可能に接続している。接続箇所はそれぞれ１箇所でも本発明を実施できるが、接続箇所を複数設けた方が各部材の動作をより安定させることができる。第１のアーム１、第２のアーム２、レンズ取り付け部６の取り付け位置をそれぞれ左右にずらすことにより、収納時には各部材が互いに干渉しないのでコンパクトに収納できる。
【００１８】  レンズ８の使用時のレンズ取り付け部６は、第１のアーム１の接続点Ｐ１が下方、第２のアーム２の接続点Ｐ２は上方になる。図３は収納型レンズの収納途中の状態を示す側面説明図である。第１のアーム１を矢印Ｆ１方向へ移動させるとレンズ取り付け部６と第２のアーム２が上方へ移動しレンズ８が収納される。図４はレンズ８が収納された状態の側面図である。レンズ８の収納時のレンズ取り付け部６は、第１のアーム１の接続点Ｐ１が前方、第２のアーム２の接続点Ｐ２が後方になる。レンズ８の収納時は第１のアーム１だけを移動すればよいので、レンズ８に直接手を触れることはない。レンズ８が帽子のツバ１１の下に収納されるため雨などからレンズ８の汚れを防ぐことができる。
【００１９】  収納型レンズの収納時はストッパーによりその状態を維持される。ストッパーの機構は様々考えられるが一例を本実施形態に記す。図１で示されるように第１のアーム１の内側にくさび状の突起９が設けられている。図５はストッパー機構の詳細を示す斜視分解説明図である。スライド部７は支持部本体５内を前後にスライド可能で、スライド部７を後方に移動させるとスプリング２１により前方の位置に戻る。スライド部７には穴２２が設けられている。収納時は突起９がスライド部７の穴２２に入り込み、くさび状の突起９が穴２２に引っ掛かって抜けなくなる。そのため第１のアーム１の落下を防ぎ、各部材の収納時の位置を保持することができる。穴２２から突出する突起９は支持部本体５に設けた穴２３に収まる。レンズ８を使用するときはスライド部７を後方へ移動させれば突起９の引っ掛かりがなくなって各部材が重力により再び使用位置に移動させることができる。上記とは逆に突起９を支持部本体５に、スライド部７とスプリング２１を第１のアーム１上に設けることも可能である。突起９と穴２２の代わりに例えば磁石などを使用してストッパーにしても良い。
【００２０】  図６の様に支持部本体５上の第１のアーム１の後方に、第３のアーム３を設ける。第３のアーム３はスライド部１７に揺動可能に接続されている。第３のアーム３の先は第１のアーム１の中間部に揺動可能に接続されている。第３のアーム３は支持部本体５上でスライド可能で、第１のアーム１の中間部と揺動可能に接続する。こうすると第３のアーム３を支持部上でスライド操作するだけでレンズ８の出し入れが可能となり、レンズ８に直接手を振れることはない。
【００２１】  ここで支持部とは第１のアーム１、第２のアーム２および第３のアーム３を支持するものを示し、前記の場合は支持部本体５とスライド部１７を含めて支持部と呼ぶ。第１のアーム１の中間部とは第１のアーム１上の２箇所の接続点の間の部分を示す。第２のアーム２と第３のアーム３の中間部も同じである。
【００２２】  上記と同様に図７の様に支持部本体５を後方に延長し第２のアーム２よりも後方に第３のアーム３を揺動可能に設けても可能である。図７では第３のアーム３は第１のアーム１の中間部に接続されているが、この場合は第３のアーム３を第２のアーム２の中間部に接続させることもできる。
【００２３】  図７の様に第３のアーム３をスライド移動させずに第１のアーム１と第２のアーム２をスライド移動させることも可能である。この場合は第１のアーム１と第２のアーム２をスライド部１７に揺動可能に接続し、支持部本体５に第３のアーム３を揺動可能に接続させればよい。スライド部１７を後方へ移動させるとレンズ８が使用部に移動し、スライド部１７を前方へ移動させるとレンズ８が収納される。
【００２４】  次に収納時の位置を保持するストッパーの機構の一例を記す。図８と図９は第３のアーム３をスライドさせる機構を示す支持部本体５を切断した上面説明図である。図８はレンズ８の使用時の状態であり、図９はレンズ８の収納時の状態である。第３のアーム３はスライド部１７に揺動可能に接続されている。スライド部１７にハート状カム１８、支持部本体５内にコの字状の針金１９を設けることによりオルタネイト動作が可能となる。図８の状態からスライド部１７を押して後方に移動すると第３のアーム３がスライド移動して図８の様にレンズ８を収納できる。このとき針金１９がハート状カム１８の中を移動して収納時の位置保持をすることができる。スライド部１７をもう一度押せばスプリング１４によりスライド部１７が元の位置に戻りレンズ８が使用位置に移動する。このときスプリング２４の戻る力によりレンズ８の移動を付勢することも可能である。オルタネイト機構を使用しない方法も考えられる。例えば支持部本体５に第３のアーム３がスライドできるように溝を設けて第３のアーム３を接続させ、図１のような突起９とスライド部７を用いたストッパーの機構にしても良い。
【００２５】  上記実施形態では第３のアーム３もしくは第１のアーム１と第２のアーム２をスライドさせる方法を説明したが、第１のアーム１もしくは第２のアーム２と第３のアーム３をスライドさせることも可能である。図１０は第２のアーム２と第３のアーム３をスライドさせずに第１のアーム１をスライドさせる収納型レンズの側面図である。図１１はレンズ８を収納した状態の側面説明図である。このような構成にするには、レンズ８収納時の支持部上の第１のアーム１の接続点から支持部上の第２のアームの接続点までの長さＬ１と第２のアーム２の長さＬ２を足した長さが、第１のアーム１の長さＬ３とレンズ取り付け部６の長さＬ４を足した長さが等しくなるようにすれば良い。ここで第１のアームの長さ、第２のアームの長さ、レンズ取り付け部の長さとは、それぞれが持つ２箇所の接続点の間の距離のことを示す。
【００２６】  図１２は第３のアーム３をスライドさせる収納型レンズの収納時と使用時の側面図である。図１２では支持部本体５の前方に第１のアーム１を揺動可能に接続し、その後方に第３のアーム３がスライド部１７に揺動可能に接続されている。第３のアーム３の先に第１のアーム１の中間部、第１のアーム１の先にレンズ取り付け部６を揺動可能に接続し、第２のアーム２をレンズ取り付け部６と第３のアーム３の中間部に揺動可能に接続させる。この構成は第２のアーム２を支持部上でスライドさせる必要がなくなる。
【００２７】  図１３は第１のアーム１をスライドさせる収納型レンズの収納時と使用時の側面図である。図１２では第３のアーム３をスライドさせるとレンズ８の出し入れができるが、同じ構成で図１３の様に第１のアーム１をスライド部１７に揺動可能に接続し、その後方に第３のアーム３を支持部本体５に揺動可能に接続すれば、第１のアーム１をスライドさせてレンズ８の出し入れができるようになる。
【００２８】  次に上記の構成で第１のアーム１と第３のアーム３をスライドさせる場合の違い、つまり支持部上の前方のアームと後方のアームをスライドさせる場合の違いを記す。図１２と図１３の収納時のレンズ８の位置は前後方向に同じである。しかし使用時のレンズ８の位置は図１２の様に第３のアーム３をスライドさせた方が前方、つまり使用者から遠い位置になり、図１３の様に第１のアーム１をスライドさせた方が後方、つまり使用者に近い位置となる。例えばレンズ８をサングラスの様に使用する場合は、使用時のレンズ８の位置が使用者に近い方が都合良く、図１３の様に第１のアーム１をスライドさせた方が良い。逆にレンズ８を拡大鏡の様に使用する場合は使用時のレンズ８の位置がある程度使用者との距離を保った方が良い場合もあり、この場合は第３のアーム３をスライドさせた方が良い。
【００２９】  また、拡大鏡の種類によっては使用者の目からの距離をさらに離した方が良い場合もある。例えば図１６の様に収納型レンズの前後を逆にしてスライド部１７を第３のアーム３の方に設けると、使用者とレンズ８の距離を保つことも可能である。
【００３０】  帽子のツバ１１は図１４の様に湾曲したデザインのものもあり、このような場合はレンズ８の端が帽子のツバ１１に当たってしまうのでうまく収納でないことがある。場合よってはレンズ８を破損してしまう可能性がある。そこで図１５に示すようにレンズ取り付け部６の左右に一対の揺動部１６を設け、その揺動部１６にレンズ８を設ける。こうすることにより帽子のツバ１１にレンズ８が当たっても揺動部１６がＦ２の方向へ動いてうまく収納することが可能となる。使用時は揺動部１６を元の位置に戻せばよい。また図１６に示すように一対の揺動部１６の間にスプリング１５のような弾性体を備えれば、使用時にはレンズ８が付勢して開くので便利である。
【００３１】  図１５のようにレンズ８の表面に突起１４を設けると、レンズ８の表面が帽子のツバ１１の下側表面に直接触れることを回避できるので、レンズ８表面の傷付きや汚れの防止になる。
【００３２】  本発明の収納型レンズは帽子以外にもサンバイザーやヘルメット等のツバにも使用することが可能である。
【００３３】  ここで止め具とは支持部を帽子のツバに固定できれば良く、その構造に関してはここでは特に言及しない。本実施形態の止め具４は帽子のツバ１１に嵌め込んでいるが、止め具４をクリップ状にしたり、ネジ状のものを用いたりして帽子のツバ１１に支持部本体５を固定しても良い。
【００３４】  本実施形態では支持部本体５と止め具４が一体構造になっているが、それぞれを別々の部材にして組付けたりしても良い。たとえば支持部本体５と止め具４をスライド可能に組み付けると収納型レンズの前後の位置を容易に調整することもできる。
【００３５】  レンズ取り付け部６とレンズ８は一体としても良いが、取り外し可能とした方がレンズ８を交換することができて便宜である。
【００３６】  ストッパーはレンズ８を収納位置に保持できればいかなる方法でも良く、その構造は特に限定しない。
【００３７】  各部材の揺動可能な接続方法に関しては特に限定はしない。例えば接続部分を凹凸状にして嵌め込んだりネジ等を使用して接続したりしてもよい。
【００３８】  各部材の材質は特に限定しないが軽量で成形が容易なプラスチックが好ましい。レンズの材質は透明性の高いアクリルやポリカーボネートなどが適している。
【００３９】  第１のアーム１の支持部から傾斜する角度は特に指定しないが、約３０°から６０°の間くらいが適当である。
【産業上の利用可能性】
【００４０】  本発明の収納型レンズは既存の帽子のツバに拡大鏡やサングラス等の取り付けが可能である。片手で容易にレンズの出し入れが可能なので、軽作業時やレジャーの際に使用すると便宜である。また、瞬時にレンズの出し入れをすることも可能になるので溶接などの作業に使用することも考えられる。
【符号の説明】
【００４１】１  第１のアーム
２  第２のアーム
３  第３のアーム
４  止め具
５  支持部本体
６  レンズ取り付け部
７  スライド部
８  レンズ
９  突起
１０  ネジ
１１  帽子のツバ
１２  帽子
１４  レンズの突起
１５  スプリング
１６  揺動部
１７  スライド部
１８  ハート状カム
１９  針金
２１  スプリング
２４  スプリング
【図１】
2019095730.tif 000003
【図２】
2019095730.tif 000004
【図３】
2019095730.tif 000005
【図４】
2019095730.tif 000006
【図５】
2019095730.tif 000007
【図６】
2019095730.tif 000008
【図７】
2019095730.tif 000009
【図８】
2019095730.tif 000010
【図９】
2019095730.tif 000011
【図１０】
2019095730.tif 000012
【図１１】
2019095730.tif 000013
【図１２】
2019095730.tif 000014
【図１３】
2019095730.tif 000015
【図１４】
2019095730.tif 000016
【図１５】
2019095730.tif 000017
【図１６】
2019095730.tif 000018